(57)【要約】【課題】ＣＣＤカメラにて射出成形製品の１つ１つを撮像してその良否を検査するに際して、検査を速い速度で速やかに行い得て検査能力を高めることのできる射出成形製品の検査方法を提供する。【解決手段】多数個同時に射出成形したゴム製品３２を型開き後に成形型２８に露出状態に保持させ、その状態でＣＣＤカメラ６４を成形型２８に対し相対移動させて、各ゴム製品３２の１つ１つを撮像し、その良否を判定する検査方法において、成形型２８に対するＣＣＤカメラ６４の位置決めを、光電センサ６６にて撮像すべき対象ゴム製品３２の位置を間接的に検出することにより行う。【選択図】        図３
2007196400.tif 000002
【特許請求の範囲】
【請求項１】
複数個同時に射出成形した製品を型開き後に成形型に露出状態に保持させ、その状態で該成形型に対向させた撮像装置を該成形型に対し相対移動させて、該製品の１つ１つに照準を合わせる位置に位置決めし、各製品ごとに撮像を行って画像処理により製品の良否を判定する射出成形製品の検査方法において、
前記成形型に対する前記撮像装置の相対的な位置決めを、位置検出センサにて各撮像対象製品の位置を直接又は間接に検出することにより行うことを特徴とする射出成形製品の検査方法。
【請求項２】
請求項１において、前記位置検出センサにて検知される複数の被検知部を有し、且つそれら被検知部が前記成形型にて保持されている製品と同じ並びのピッチで同一パターンに配置された基準型を用意して、該基準型を該成形型とは別の箇所に設置し、該基準型に対して前記位置検出センサを相対移動させて、前記製品に各対応した被検知部の１つ１つを該位置検出センサにより検知することで、前記撮像装置を前記各撮像対象製品に照準を合わせる位置に位置決めし、撮像を行うことを特徴とする射出成形製品の検査方法。
【請求項３】
請求項２において、前記被検知部が前記基準型に形成された貫通の孔であることを特徴とする射出成形製品の検査方法。
【請求項４】
請求項２，３の何れかにおいて、前記撮像装置及び基準型が位置固定に設けられ、前記成形型及び位置検出センサが移動するものとなしてあることを特徴とする射出成形製品の検査方法。
【請求項５】
複数個同時に射出成形した製品を型開き後に成形型に露出状態に保持させ、その状態で成形型に対向させた撮像装置を該成形型に対し相対移動させて、該製品の１つ１つに照準を合わせる位置に位置決めし、各製品ごとに撮像を行って画像処理により製品の良否を判定する射出成形装置の検査装置において、
各撮像対象製品の位置を直接又は間接に検出することにより、前記撮像装置を撮像対象製品に対して照準を合わせる位置に位置決めする位置検出センサを備えたことを特徴とする射出成形製品の検査装置。
【請求項６】
請求項５において、前記位置検出センサにて検知される複数の被検知部を有し、且つそれら被検知部が前記成形型にて保持されている製品と同じ並びのピッチで同一パターンに配置された基準型を有しており、該基準型に対して該位置検出センサを相対移動させて、前記製品に各対応した被検知部の１つ１つを該位置検出センサにより検知することで、前記撮像装置を撮像対象製品に照準を合わせる位置に位置決めし、撮像を行うようになしてあることを特徴とする射出成形製品の検査装置。
【発明の詳細な説明】
【技術分野】
【０００１】
この発明は射出成形製品の欠陥の有無を判別して良否を判定する射出成形製品の検査方法及び検査装置に関する。
【背景技術】
【０００２】
従来、射出成形製品の検査方法として下記特許文献１に開示のものがある。
この特許文献１に開示の検査方法は、以下のような内容を解決課題としている。
即ち射出成形製品は射出成形後において製品に欠肉が生じていないか、バリが過多に残っていないか或いはその他の欠陥が生じていないかなど外観検査する必要がある。
【０００３】
その検査の方法として、(イ)同時に成形された多数の製品を成形型から脱型したのち、作業者が目視にて外観検査する方法、(ロ)或いは脱型された製品をパーツフィーダ等を用いて再度配列させたのち、自動検査装置にて各製品の外観上の欠陥の有無を判別し良否判定する方法が従来用いられていたが、前者の(イ)の人手による目視検査の場合処理能力が低く、検査のために多くの人手及び工数を必要とする問題がある外、多量の製品を目視検査している間に場合によって欠陥を見逃してしまうといった恐れがあり、検査品質が不安定である問題があるとともに、検査のために多大なコストを要してしまう問題がある。
【０００４】
他方後者の(ロ)の検査方法の場合、成形型から脱型してバラバラになった各製品を、パーツフィーダ等により整列させる機構を必要とし、その整列させる機構及びパーツフィーダ等のためにコストがかかるとともに、整列搬送する際に搬送路上でトラブルが生じるとそこで一旦検査が止まってしまう問題があり、更にまたこの整列機構，自動検査装置等を用いた検査においても処理能力が制約され、製品を多量に処理するには多くの設備を必要として、従ってこの方法もまた多大なコストを要するといった問題があった。
【０００５】
そこで特許文献１の検査方法では、射出成形後において製品を成形型に露出状態に保持させておき、その状態で撮像装置を用いて製品の１つ１つを撮像し、その撮像結果を画像処理によって予め記憶させてある良品の撮像結果と比較し、製品の欠肉やバリの発生過多等の欠陥を判別し良否を判定するようにしている。
この特許文献１の検査方法によれば、射出成形製品を成形型から脱型せずに外観検査を行うことができ、且つ作業者による目視観察に比べて検査能力を大幅に高めることができ、また検査のためのコストを低減することができるとともに検査品質を高めることができる。
【０００６】
ところでこの検査方法を実施するに当っては、撮像装置を成形型に沿って相対移動させつつ、撮像装置の照準が撮像対象製品の１つ１つに正しく合う位置に位置決めした上で、撮像を行う必要がある。
その位置決めのための手段として一般に行われるのは撮像装置或いは成形型、通常は成形型をロボットにて移動させ、そして各製品の１つ１つが正しく撮像装置の照準に合う位置に位置決めさせるために、ロボットにティーチングを施してロボットに動きを覚えさせておくやり方である。
【０００７】
しかしながら射出成形製品が小さいものである場合、１つの成形型に極めて多数、例えば１０００個程度の製品が保持されており、従ってその１つ１つに対して撮像装置が相対的に位置決めされるようにロボットの動きを覚えさせるためにはティーチング作業に多大な手間と時間がかかり、しかも製品の形状や種類、配置パターンが異なるごとに、それ専用にティーチングを行わなければならない。
またこのようなティーチングによる場合にはロボットの動きが遅く、１つの製品の検査から次の製品の検査までの時間が長くなって、全体として製品の検査に要する時間が長くなってしまい、ひいては検査能力を十分に高くすることができないといった問題がある。
【０００８】
【特許文献１】特開２００３−２７６０６９号公報
【発明の開示】
【発明が解決しようとする課題】
【０００９】
本発明は以上のような事情を背景とし、撮像装置にて射出成形製品の１つ１つを撮像してその良否を検査するに際して、検査を速い速度で速やかに行い得て、検査能力を高めることのできる射出成形製品の検査方法及び検査装置を提供することを目的としてなされたものである。
また本発明は別の目的は、検査の精度をより高くすることにある。
【課題を解決するための手段】
【００１０】
而して請求項１は射出成形製品の検査方法に関するもので、複数個同時に射出成形した製品を型開き後に成形型に露出状態に保持させ、その状態で該成形型に対向させた撮像装置を該成形型に対し相対移動させて、該製品の１つ１つに照準を合わせる位置に位置決めし、各製品ごとに撮像を行って画像処理により製品の良否を判定する射出成形製品の検査方法において、前記成形型に対する前記撮像装置の相対的な位置決めを、位置検出センサにて各撮像対象製品の位置を直接又は間接に検出することにより行うことを特徴とする。
【００１１】
請求項２の方法は、請求項１において、前記位置検出センサにて検知される複数の被検知部を有し、且つそれら被検知部が前記成形型にて保持されている製品と同じ並びのピッチで同一パターンに配置された基準型を用意して、該基準型を該成形型とは別の箇所に設置し、該基準型に対して前記位置検出センサを相対移動させて、前記製品に各対応した被検知部の１つ１つを該位置検出センサにより検知することで、前記撮像装置を前記各撮像対象製品に照準を合わせる位置に位置決めし、撮像を行うことを特徴とする。
【００１２】
請求項３の方法は、請求項２において、前記被検知部が前記基準型に形成された貫通の孔であることを特徴とする。
【００１３】
請求項４の方法は、請求項２，３の何れかにおいて、前記撮像装置及び基準型が位置固定に設けられ、前記成形型及び位置検出センサが移動するものとなしてあることを特徴とする。
【００１４】
請求項５は検査装置に関するもので、複数個同時に射出成形した製品を型開き後に成形型に露出状態に保持させ、その状態で成形型に対向させた撮像装置を該成形型に対し相対移動させて、該製品の１つ１つに照準を合わせる位置に位置決めし、各製品ごとに撮像を行って画像処理により製品の良否を判定する射出成形装置の検査装置において、各撮像対象製品の位置を直接又は間接に検出することにより、前記撮像装置を撮像対象製品に対して照準を合わせる位置に位置決めする位置検出センサを備えたことを特徴とする。
【００１５】
請求項６のものは、請求項５において、前記位置検出センサにて検知される複数の被検知部を有し、且つそれら被検知部が前記成形型にて保持されている製品と同じ並びのピッチで同一パターンに配置された基準型を有しており、該基準型に対して該位置検出センサを相対移動させて、前記製品に各対応した被検知部の１つ１つを該位置検出センサにより検知することで、前記撮像装置を撮像対象製品に照準を合わせる位置に位置決めし、撮像を行うようになしてあることを特徴とする。
【発明の作用・効果】
【００１６】
以上のように本発明は、成形型に対する撮像装置の位置決め即ち撮像対象製品に対する撮像装置の相対的な位置決めを、位置検出センサにて撮像対象製品の位置を直接又は間接に検出することにより行うもので、本発明によれば、撮像装置の位置決めのためにロボットに予めその動きを覚えさせておくためのティーチングを施しておく必要がなく、そのための手間を削減することができる。
また製品の形状や配置パターンが異なった場合においても改めてそれ専用のティーチングを予め施しておかなくても良く、位置検出センサによる撮像対象製品の直接又は間接の位置検出に基づいて自動的に位置決めを行うことができる。
【００１７】
従って本発明によれば、ティーチング作業のために要していたコストを削減することができる。
また位置検出センサによる位置検出に基づいた撮像装置の位置決めでは、１つの製品に対する撮像装置の位置決め及び撮像から、次の製品に対する撮像装置の位置決め及び撮像までの時間間隔を短くすることができ、迅速に多数の射出成形製品に対する撮像を行い得て、検査能力を従来に増して高めることができる（請求項１，請求項５）。
【００１８】
本発明では、位置検出センサにて検知される複数の被検知部が成形型にて保持されている製品と同じ並びのピッチで同一パターンに配置された基準型を用意し、その基準型に対して位置検出センサを相対移動させて、製品に対応した被検知部の１つ１つを位置検出センサにより検知することで、撮像装置を撮像対象製品に照準を合わせる位置に位置決めし、撮像を行うようになすことができる（請求項２，請求項６）。
【００１９】
位置検出センサを用いた撮像装置の位置決めの手段として、成形型に保持されている射出成形製品の１つ１つを位置検出センサにて直接検知することで位置決めを行うといったことも可能である。
しかしながら成形型には、使用を続けるうちに傷や汚れが付いたりしていることも多く、この場合その傷や汚れを位置検出センサが製品であると誤って検知してしまい、本来の製品ではない箇所を撮像装置が撮像してしまうといった不具合が生じることが判明した。
【００２０】
そこでこの請求項２及び請求項６では、このような成形型とは別に製品に対応した複数の被検知部を有する基準型を用意し、そしてその基準型の各被検知部を位置検出センサにより検知することによって、撮像装置における撮像位置を位置決めするようになしたもので、このようにすれば、成形型に付いている傷や汚れによる影響を排除して、正しく各製品だけを撮像装置にて撮像することができるようになる。
そしてこのことによって、撮像装置が製品でない箇所を誤って撮像することによるトラブルやライン停止を防止でき、検査品質を更に高めることができるとともに、検査能力をより一層高めることが可能となる。
【００２１】
この場合において上記被検知部は、基準型に形成した貫通の孔と成しておくことができる（請求項３）。
被検知部をこのような貫通の孔としておくことで、被検知部に対する位置検出センサによる検知を正確且つ容易なものとなすことができる。
【００２２】
また本発明では、撮像装置及び基準型を位置固定に設けておき、成形型及び位置検出センサを移動するものとなしておくことができる（請求項４）。
【発明を実施するための最良の形態】
【００２３】
次に本発明の実施形態を図面に基づいて詳しく説明する。
図１は、縦型射出成形装置の全体構成を示したもので、同図に示しているようにこの縦型射出成形装置は、射出装置１０と成形装置１２とを有している。
射出装置１０は、射出ポット１４とリボン状の成形材料（ここではゴム材料）をスクリューの回転により可塑化し流動化させて、射出ポット１４内に押し出す押出機１６と、射出ポット１４内に充填されたゴム材料を図中下向きの前進移動によって射出ポット１４から射出するプランジャ１８と、その駆動シリンダ２０とを有している。
射出装置１０は、プランジャ１８を下向きに前進移動させて、射出ポット１４内のゴムを下方の金型からなる型セット２４に向けて射出する。
【００２４】
成形装置１２は、型締装置２２と型セット２４とを有している。
尚図１において２５は型締装置２２における油圧装置である。
型セット２４は、各成形型としての上型２６と薄板状をなす中型２８と下型３０とを有しており、図２（Ｂ）に示しているようにゴム製品（射出成形製品）３２を成形するためのキャビティ３４を有している。
【００２５】
ここでキャビティ３４は、その大部分が中型２８に形成されている。
またゴム製品３２は小サイズのもので型セット２４、実質的には中型２８に極めて多数のキャビティ３４が形成されている。
ここで中型２８には成形キャビティ３４が全体で約１０００個程度設けられている。
図１に示しているように、下型３０の下側には熱板３６が設けられており、更にその下側に断熱板３８が設けられ、その下側に第１スライド板４０が設けられている。
尚４２は成形位置において上下に移動し、中型２８と下型３０とを熱板３６，断熱板３８等とともに上昇させ又は下降させる可動板である。
【００２６】
上記第１スライド板４０は後方（図中左方）に延び出しており、その端部上に熱板３６に埋設されたヒータに繋がる配線をまとめて収容する配線ボックス４４が設けられ、更にその上側に配線ボックス４４の蓋を兼ねた第２スライド板４６が設けられている。
第２スライド板４６は配線ボックス４４から更に図中左方に延び出している。
【００２７】
本実施形態においてこれら第１スライド板４０，配線ボックス４４，第２スライド板４６全体がスライド部材４７を構成している。
これら第１スライド板４０，配線ボックス４４，第２スライド板４６にて構成されたスライド部材４７は、進退シリンダ４８にて図１中左右方向に前進及び後退運動させられる。
一方成形装置１２の前部（図１中右部）にはテーブル５０が設けられていて、そのテーブル５０に、型セット２４における中型２８と下型３０とを分離するための型分離装置５２が設けられている。
【００２８】
この型分離装置５２は昇降シリンダ５４と、これにより昇降駆動される昇降ロッド５６と、その上端に設けられた昇降部材５８とを図１の紙面と直角方向の左右両側に一対有している。
これら昇降部材５８の上側には更に爪部材６０が設けられており、かかる爪部材６０が昇降部材５８と一体に昇降運動させられる。
この爪部材６０は、自身の上昇運動によって中型２８を持ち上げて下型３０から分離させる。
【００２９】
この縦型射出成形装置では、図１の型締装置２２にて型セット２４を型締状態に保持し、その状態でプランジャ１８を駆動シリンダ２０により図中下向きに突き出すことで、射出ポット１４内に充填されている流動状態のゴム材料が、型セット２４のキャビティ３４に注入される。
そしてその状態で所定時間保持されることで、キャビティ３４に注入されたゴム材料が加硫されゴム製品３２となる。
【００３０】
その後型セット２４における中型２８と下型３０とが下降せしめられ、そしてその下降端においてスライド部材４７が図１中左から右向きに前進させられて、スライド部材４７詳しくは第１スライド板４０上に載置されている中型２８と下型３０とが、ともにテーブル５０上に持ち来たされる。
即ち中型２８と下型３０とが成形位置から型分離位置へと移動せしめられる。
【００３１】
中型２８は型分離位置において昇降シリンダ５４による昇降ロッド５６の上昇、更にこれに伴う爪部材６０の上昇により上方に持ち上げられ、下型３０から分離される。
このとき加硫成形されたゴム製品３２が中型２８に保持されて一体に持ち上げられる。
【００３２】
図３に、上記のようにして射出成形されたゴム製品３２に対する検査方法が検査装置とともに示してある。
図３において６２はロボットハンド（以下ロボットと略す）で、成形後において中型２８が各キャビティ３４にゴム製品３２を保持した状態で成形エリアから検査エリアへと持ち来される。
【００３３】
この実施形態の検査装置は、中型２８の両側の各面にそれぞれ対向する状態に設けられた撮像装置としての一対のＣＣＤカメラ６４と、位置検出センサとしての光電センサ６６と、光電センサ６６と協働して中型２８に保持されている多数のゴム製品３２の１つ１つに対してＣＣＤカメラ６４の照準を合わせる位置に中型２８を位置決めする基準型６８とを有している。
ここで一対のＣＣＤカメラ６４のそれぞれは、中型２８の各面に露出しているゴム製品３２の端面を撮像して、欠肉やバリ過多等の欠陥を判定する。
【００３４】
この実施形態において、一対のＣＣＤカメラ６４及び基準型６８は位置固定に設けられており、また一方光電センサ６６はロボットハンド６２に取り付けられていて、中型２８と一体に移動させられる。
本実施形態では、基準型６８もまた中型２８と同様に金属プレートにて構成されている。
【００３５】
上記光電センサ６６は反射型の光電センサであり、投光部から基準型６８に向けて光を投光し、その反射光を受光してその受光光量の大小、詳しくは受光光量がしきい値より多いか少ないかによって被検知部を検知する。
基準型６８にはその被検知部としての孔７０が基準型６８を板厚方向に貫通する方向に設けられている。
ここで孔７０は、中型２８におけるキャビティ３４、即ちゴム製品３２に対応した数で基準型６８に設けられている。
尚中型２８におけるキャビティ３４はゴム製品３２に対応した複雑形状をなしているが、この基準型６８における孔７０は、同一内径で板厚方向に延びるストレート形状をなしている。
【００３６】
更に被検知部としての多数の孔７０は、中型２８におけるキャビティ３４、即ちゴム製品３２の並びのピッチと等しいピッチで且つ同一パターンで配置されている。
但し基準型６８の各孔７０は、中型２８の各対応するゴム製品３２とは点対称となる位置に配置されている。
つまり基準型６８における各孔７０の配置パターンは、中型２８におけるキャビティ３４即ちそこに保持されているゴム製品３２の配置パターンに対し、上下及び左右が逆転した配置パターンとされている。
【００３７】
詳しくは、図２に示す中型２８の所定位置のゴム製品３２-Ｋに対して、図４に示す基準型６８の対応する孔７０-Ｋが点対称の位置、即ちゴム製品３２-Ｋ用の孔７０-Ｋの基準型６８の中心に対する位置関係が、中型２８におけるゴム製品３２-Ｋの中型２８の中心に対する位置関係とは上下及び左右に逆転した位置関係となるように配置されており、また同様にゴム製品３２-Ｌ，３２-Ｍ，３２-Ｎに対し、それぞれ対応する孔７０-Ｌ，７０-Ｍ，７０-Ｎが上下及び左右に逆転した位置関係となるように配置されている。
【００３８】
この結果として本実施形態では、図３及び図６（Ｉ）に示しているように例えばＣＣＤカメラ６４による撮像の照準が中型２８のゴム製品３２-Ｋに合っているとき、即ちＣＣＤカメラ６４がゴム製品３２-Ｋに正しく向き合っているとき、光電センサ６６はゴム製品３２-Ｋに対応した基準型６８の孔７０-Ｋを検知する状態となる。
即ち光電センサ６６が孔７０-Ｋを検知した位置に中型２８が位置決めされることによって、ゴム製品３２-Ｋに対しＣＣＤカメラ６４が正しく向き合い、その照準をゴム製品７２-Ｋに向けて合わせた状態となる。
光電センサ６６の位置がそのように予め選ばれている。
【００３９】
この状態から、図３中の矢印及び図６（II）に示すようにロボット６２がゴム製品３２-Ｌに対してＣＣＤカメラ６４が向き合う位置まで中型２８を下降すると、このとき光電センサ６６は基準型６８の対応する孔７０-Ｌに正しく向き合う位置まで中型２８と一体に下降する。
換言すれば光電センサ６６が孔７０-Ｌを検知し、そしてその位置に中型２８を位置決めすることで、ゴム製品３２-Ｌが一対のＣＣＤカメラ６４による照準位置に位置することとなる。
【００４０】
また同様に、図３及び図７（III）中矢印で示すように中型２８がロボット６２によって水平方向に位置移動させられ、ゴム製品３２-Ｍが一対のＣＣＤカメラ６４による照準位置に位置したときには、光電センサ６６が中型２８と一体移動することによってゴム製品３２-Ｍに対応した孔７０-Ｍを検知する状態となり、従って光電センサ６６による孔７０-Ｍの検知によって、ゴム製品３２-ＭがＣＣＤカメラ６４による照準位置に正しく位置させられる。
その後における孔７０-Ｍから孔７０-Ｎへの光電センサ６６による検知の移動、またこれに対応するゴム製品３２-Ｍから３２-ＮへのＣＣＤカメラ６４による照準位置の移動も同様である（図７（IV）参照）。
【００４１】
つまりこの実施形態では、撮像対象となるゴム製品３２に対応した孔７０を光電センサ６６が検知する位置に中型２８を位置決めすることによって、一対のＣＣＤカメラ６４の照準がその撮像対象としてのゴム製品３２に合った状態となる。
【００４２】
但し実際には光電センサ６６は、図５（Ａ）に示しているように基準型６８に設けられている多数の孔７０-１，７０-２，７０-３・・・と順番に検知して行き、それぞれに対応した位置において中型２８を位置決めして行く。
そして各位置決めした位置において一対のＣＣＤカメラ６４が図５（Ｂ）に示しているようにゴム製品３２-１から３２-２，３２-３へと順番に撮像して行き、そして撮像結果を予め記憶させてある良品の撮像結果と比較してその良否を判定する。
【００４３】
以上のような本実施形態によれば、ＣＣＤカメラ６４による撮像位置の位置決めのために、ロボット６２に予めその動きを覚えさせておくためのティーチングを施しておく必要がなく、そのための手間を削減することができる。
【００４４】
また製品の形状や配置パターンが異なった場合においても、改めてそれ専用のティーチングを予めロボット６２に施しておかなくても良く、光電センサ６６によるゴム製品３２の間接的な位置の検出に基づいて、自動的にＣＣＤカメラ６４の撮像位置を位置決めすることができる。
従ってこの実施形態によれば、ロボット６２へのティーチングに要するコストを削減することができる。
【００４５】
また光電センサ６６による位置検出に基づく撮像位置の位置決めでは、１つのゴム製品３２に対する撮像位置の位置決め及び撮像から次のゴム製品３２に対するＣＣＤカメラ６４の位置決め及び撮像までの時間間隔を短くすることができ、迅速に多数のゴム製品３２に対する撮像を行い得て、検査能力を従来に増して高めることができる。
【００４６】
また本実施形態では、ＣＣＤカメラ６４によるゴム製品３２の撮像のための位置決め用として、中型２８に保持されているゴム製品３２自体を用いず、これとは別に用意した基準型６８を用いて位置決めをなすようにしているため、次のような利点が得られる。
即ち図８の比較例図に示しているように、光電センサ６６にて直接に中型２８に保持されているゴム製品３２を検知することによって、中型２８の位置をＣＣＤカメラ６４による撮像位置に位置決めするといったことも可能であるが、この場合、中型２８は使用を続けるうちに傷や汚れが付いたりすることが多く、その傷や汚れを光電センサ６６が製品であると誤って検知してしまい、その結果ＣＣＤカメラ６４が、本来のゴム製品３２ではない箇所を撮像してしまって、誤った判定を行ってしまうことが生じる。
【００４７】
これに対して本実施形態では、ＣＣＤカメラ６４による撮像の位置決め用として基準型６８を用いているためこうした不具合を生じず、中型２８に付いている傷や汚れによる影響を排除して、正しく各ゴム製品３２だけを撮像することができる。
そしてこのことによって、ＣＣＤカメラ６４がゴム製品３２でない箇所を誤って撮像することにより発生するライントラブルやライン停止を生ずるのを防止でき、検査品質を更に高めることができるとともに検査能力をより一層高めることが可能となる。
【００４８】
尚基準型６８に中型２８と同様のキャビティ３４を形成して、そこにゴム製品３２を保持させておき、そのゴム製品３２を光電センサ６６により検知することで、中型２８の位置決めをなすようにすることも可能である。
但しこの場合には光電センサ６６が、基準型６８の金属色とゴム製品３２の黒色とを色で識別することによって位置の検出を行うこととなり、この場合色の識別による検知であるため検知精度が不十分である問題がある。
これに対してこの実施形態では、基準型６８に設けた貫通の孔７０を光電センサ６６にて検知するようになしているため、検知精度を高めることができ、且つ被検知部としての孔７０の検知を容易に行うことができる利点が得られる。
【００４９】
以上本発明の実施形態を詳述したがこれはあくまで一例示であり、本発明はその趣旨を逸脱しない範囲において種々変更を加えた形態で構成可能である。
【図面の簡単な説明】
【００５０】
【図１】射出成形装置を示す図である。
【図２】図１における中型をゴム製品を保持した状態で示した図である。
【図３】本発明の実施形態の検査方法を検査装置とともに示した図である。
【図４】図３の基準型を示した図である。
【図５】同実施形態の検査方法の説明図である。
【図６】同検査方法を別の観点から示した説明図である。
【図７】図６に続く説明図である。
【図８】同実施形態の利点を説明するために示した比較例図である。
【符号の説明】
【００５１】
２８  成形型（中型）
３２  ゴム製品
６４  ＣＣＤカメラ（撮像装置）
６６  光電センサ（位置検出センサ）
６８  基準型
７０  孔（被検知部）
【図１】
2007196400.tif 000003
【図２】
2007196400.tif 000004
【図３】
2007196400.tif 000005
【図４】
2007196400.tif 000006
【図５】
2007196400.tif 000007
【図６】
2007196400.tif 000008
【図７】
2007196400.tif 000009
【図８】
2007196400.tif 000010